(57)【要約】      （修正有）【課題】地面の凹凸や芝の刈込条件によってティーの底面が傾いてしまうようなティーグランド上でも、ボールを安定にティーアップすることのできる据置台構造のゴルフティーを提供する。【解決手段】中空円錐台状のボール台１０と球帯状の台座２０および、両者を相互接続する接続ひも３０でゴルフティーを構成する。ボール台１０の上方の円筒部に、円筒部の内周に密接して軸方向に移動できる円筒状の昇降筒を装着した。【選択図】図１
0003211167.tif 000002
【実用新案登録請求の範囲】
【請求項１】
中空円錐台状のボール台と球帯状の台座および、両者を相互接続する接続ひもで構成したゴルフティー
【請求項２】
前記ボール台の上方の円筒部に、円筒部の内周に密接して軸方向に移動できる円筒状の昇降筒を装着したゴルフティー
【考案の詳細な説明】
【技術分野】
【０００１】
本考案はゴルフティーに関する。
【背景技術】
【０００２】
ゴルフティーには、地中に差し込んだ杭の上にボールを載せる差込杭構造のものと、地上に置いた台の上にボールを載せる据置台構造のものがある
【０００３】
ゴルフ場のティーグランドでは、据置台構造のものは地面の凹凸や芝の刈込条件によって台の底面が傾いて安定なティーアップができないことがあるため、地中に差し込んで安定なティーアップができる差込杭構造のティーが使用されることが多い。
【０００４】
しかし、ティーグランドが極端に硬い場合は差込杭構造のティーは差し込むのが難しく、柔らかすぎる場合はまっすぐに立てるのが難しくなる。このような状況では据置台構造のティーが使いやすい。
【０００５】
据置台構造のティーは基本的にボールの地上高が一定である。しかし、高さの異なるものを何種類か用意しておけば、目的、例えばショットに使用するクラブの種類、飛球の高さの打ち分けなどに応じて使い分けることができるので、致命的な欠点とは言えない。むしろ、ゴルフ練習場で使い慣れている据置台構造のティーのほうが使いやすいという考え方もある。
【０００６】
以上のように、両者ともに長所短所があるので、結局のところ、状況に応じて使い分けるしかないのが実情である。据置台構造のティーに関しては、特許文献１のように、ティーの台座部の構造に工夫を加えたものもあるがまだ改善の余地が残っている。
【先行技術文献】
【特許文献】
【０００７】
【特許文献１】特開２００９−８２１５９
【考案の概要】
【考案が解決しようとする課題】
【０００８】
地面の凹凸や芝の刈込条件によってティーの底面が傾いてしまうようなティーグランド上でも、安定にボールをティーアップすることのできる据置台構造のゴルフティーを提供することが第一の課題であった。
【０００９】
これ以外にも、ショット時の衝撃に強くすること、ショット後のティーの回収を容易にすること、ボールの地上高を調節できることなども課題となった。
【課題を解決するための手段】
【００１０】
本考案では、据置台構造のティーの機能を、中空円錐台状のボール搭載部（以下、「ボール台」と呼ぶ）と球帯状の台座部（以下、「台座」と呼ぶ）に二分した構造として、地面の凹凸や芝の刈込条件によってティーの底面が傾いてしまうようなティーグランド上でも安定にボールをティーアップできるゴルフティーを構成した。
【００１１】
衝撃に強いティーを実現する手段として、軽量な弾性体を使用して比較的単純な構造のボール台を採用し、ショット時のボール台の飛散距離を抑制しショット後の回収を容易にする手段として、弾性材料の中でも比重の大きなシリコンゴムで作った台座にボール台を紐で接続している。
【００１２】
他の課題である、ボールの地上高を調節する手段として、ボール台の上方の円筒部に、円筒部の内周に密接して軸方向に移動できる円筒状の昇降筒を装着している。
【考案の効果】
【００１３】
以上の説明から明らかなように、本考案により、地面の凹凸や芝の刈込条件によってティーの底面が傾いてしまうようなティーグランド上でも安定にボールをティーアップすことができ、衝撃に強いティーが実現でき、ティーショット後のティー回収が容易になり、さらに、ボールの地上高を連続的に調節できるようになった。
【図面の簡単な説明】
【００１４】
【図１】本考案にかかる実施例のゴルフティーの構成図
【図２】本考案にかかるゴルフティーを用いたティーアップ状態を示す図で、（ａ）は地面が平坦な場所でのティーアップ状態を示す斜視図、（ｂ）は地面が傾斜している場所でのティーアップ状態を示す斜視図
【図３】本考案にかかる他の実施例の昇降筒を付加したゴルフティーの構成図
【考案を実施するための形態】
【００１５】
以下、本考案の実施の一形態を図１から図３に基づいて説明する。図１は本考案にかかるゴルフティーの構成図である。ゴルフティーは中空円錐台で作ったボール台１０と、これと接続ひも３０で接続された台座２０とで構成している。
【００１６】
本実施例では、ボール台１０はＥＶＡ樹脂（エチレン・酢酸ビニール共重合体）製の薄板、板厚約２ｍｍを成形し組み立てた。
【００１７】
ここで使用材料としてＥＶＡ樹脂製の薄板を選択したのは、材料の入手が容易なこと、比重が小さいこと、軽量な構造体が実現できること、弾性が適切であること、適当な柔軟性と硬さを持った構造体が実現できること、衝撃強さが優れていること、加工しやすいことなど、材料の特性がゴルフティーの材料として適していると判断したためである。他のウレタン樹脂やポリエチレン樹脂などの材料でも同様な効果を得ることができる。
【００１８】
球帯状の台座２０は、本実施例では、シリコーン樹脂で成型して作ったが、他の樹脂やゴムなどの重量のある弾性体を使って製作することができる。
【００１９】
このゴルフティーを使用してボールをティーアップするときは、図２に示すように、台座２０をティーグランド５０の上に置いて、ゴルフボール４０を載せたボール台１０を立てて置く。図２（ａ）はティーグランドが平坦な場合で、ゴルフボール４０とボール台１０と台座２０を総合した重心線は一直線で地球の中心を向いており、ボールは安定に支持される。
【００２０】
図２（ｂ）はティーグランドが右下がりになっている場合で、台座２０も右下がりで座っている。しかし、台座２０の上面は球面をしているので、ゴルフボール４０とボール台１０を図２（ａ）と同じように、ゴルフボール４０とボール台１０と台座２０を総合した重心線が一直線で地球の中心を向く場所に移動することができ、その結果、ボールを安定に支持することができる。
【００２１】
ティーショットのときはボールが飛び出すだけでなく、ボール台も飛び出すのが一般的であるが、ボール台にひもで接続されている台座はその重量と空気抵抗により、ティーの飛散距離を抑制する働きがある。台座におもりを組み込んだり、台座の外形を大きくすれば、この機能を補強することができる。
【００２２】
図３は本考案にかかる他の実施例の構成図である。ボールの地上高を調節する機能を付加するために、ボール台１０に昇降筒１２を組み込んでいる。昇降筒１２は、外径寸法がボール台１０の天部の内径よりも幾分大きくなるように、丸棒１２２の周囲にＥＶＡ樹脂製の薄板を一回巻き付けて接着した円筒１２１を作り、この上端にフランジ１２３を接着したものを使用した。丸棒１２２は円筒１２１を形成し補強する機能のほかに、接続ひも３０の一端を止める機能も担っている。衝撃に強い構造とするために、丸棒１２２は軽量なバルサ材で製作した。バルサ材の代わりに軽量で剛性のあるポリエチレン発泡体などの丸棒が使用できる。
【００２３】
昇降筒１２は円錐台１１の天部から挿入して、挿入深さを調節することができる。操作後、ボール台１０の天部の内壁と昇降筒１２の外壁は双方の弾性により押し合っているので、次に調節するまで相互の位置関係は維持される。このようにして、ティーアップ時のゴルフボールの地上高さを調節することが可能となった。
【００２４】
昇降筒１２の長さはボール高さの調節幅から算出することになる。本実施例では、ボール高さの調節幅を約１０ｍｍとしたので、昇降筒１２の高さは余裕をとって約１５ｍｍとした。
【符号の説明】
【００２５】
１０ボール台
１２昇降筒
２０台座
３０接続ひも
４０ゴルフボール
５０ティーグランド
１２１円筒
１２２丸棒
１２３フランジ
【図１】
0003211167.tif 000003
【図２】
0003211167.tif 000004
【図３】
0003211167.tif 000005
【手続補正書】
【提出日】平成29年4月24日(2017.4.24)
【手続補正１】
【補正対象書類名】実用新案登録請求の範囲
【補正対象項目名】全文
【補正方法】変更
【補正の内容】
【実用新案登録請求の範囲】
【請求項１】
中空円錐台状のボール台と球帯状の台座および、両者を相互接続する接続ひもで構成したゴルフティー
【請求項２】
前記ボール台の上方の円筒部に、円筒部の内周に密接して軸方向に移動できる円筒状の昇降筒を装着したことを特徴とする請求項１に記載のゴルフティー